(57)【要約】      （修正有）【課題】指紋を容易に且つ鮮明に採取すること。【解決手段】界面活性剤と粉体を水性媒体に溶解分散された指紋採取用液を用いて、指紋採取用シートで採取した後、シートを指紋採取用液に浸漬した後乾燥させて指紋採取するか、指紋採取用液を噴霧して指紋採取する。界面活性剤のＨＬＢが１０〜２０であり、ポリオキシエチレン脂肪酸ソルビタンである場合はより有効であり、粉体は雲母チタンの場合がより有効である。さらに過去従来の方法で指紋採取されたものの保存性の向上にも貢献できる。【選択図】  図２
2005027986.tif 000002
【特許請求の範囲】
【請求項１】
界面活性剤と粉体を水性媒体に溶解分散された用いた指紋採取用液。
【請求項２】
界面活性剤のＨＬＢが１０〜２０である請求項１の指紋採取用液
【請求項３】
界面活性剤がＨＬＢが１０〜２０のポリオキシエチレン脂肪酸ソルビタンである請求項１乃至請求項２の指紋採取用液
【請求項４】
粉体が雲母チタンである請求項１乃至請求項３の指紋採取用液
【請求項５】
指紋採取用シートで採取した後、シートを請求項１乃至請求項４の指紋採取用液に浸漬した後乾燥させる指紋採取方法
【請求項６】
請求項１乃至請求項４の指紋採取用液を噴霧して指紋採取方法
【発明の詳細な説明】
【技術分野】
【０００１】
本発明は、明瞭に得ることができる指紋採取用液およびこれを用いた指紋採取方法に関するものである。
【背景技術】
【０００２】
個人を認識するための指紋採取を公式に鮮明な指紋を得られる場合以外で、不鮮明な指紋から採取する場合には、粉末を使って明瞭にして、ゼラチン紙等に転写や写真で保存する。
しかしながら、指紋採取の対象物は多種類にわたり、その環境もいろいろである。これまで利用されてきた粉末はアルミ粉末、カーボンブラック粉末等があるが、指紋のついている表面が、ザラザラしたアルミ缶の蓋、強化プラスチック、感光紙、クラフトテープの表面、裏面の粘着面、古い皮革の表面等はこれまでの粉末では指紋が不鮮明にしかとれないか、或いは全く指紋を採取できなかった。また、従来、指紋の採取がもっとも困難とされるのは水に濡れた表面であり、従来の粉末では、ほとんど指紋の採取は不可能であった。
また、指紋を保存するために粘着シートに転写したのち、粉末を塗布し紙等にシートを接着させ、保存するが、不鮮明になる場合が往々にしておきている。
【０００３】
我々はこのため、顔料粉末を撥水性物質で表面処理した指紋採取用粉末を開発した。（特許文献１参照。）
指紋採取用組成物としてロイコ染料と界面活性剤と樹脂を含有した組成物が公開特許にあるが、これは単に朱肉の代わりに指等に噴霧するのみである。（特許文献２参照。）
【特許文献１】特開昭６１−２８６３０７号公報
【特許文献２】特開２００２−５８５号公報
【発明の開示】
【発明が解決しようとする課題】
【０００４】
解決しようとする問題点は、鮮明に指紋を得るため、或いは保存等に必要なシートに転写するときに鮮明な指紋を得る方法を検討した。
【課題を解決するための手段】
【０００５】
本発明は、界面活性剤と粉体を水性媒体に溶解分散された用いた指紋採取用液を用いることによって鮮明な指紋を得ることができた。
界面活性剤は指紋を形成する脂分と粉体を結びつけるものであればよい。以下に例示すれば、界面活性剤としては、アニオン性、カチオン性、非イオン性及び両性の活性剤があるが、アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合等のカルボン酸塩、アルキルスルホン酸、アルケンスルホン酸塩、脂肪酸エステルのスルホン酸塩、脂肪酸アミドのスルホン酸塩、アルキルスルホン酸塩とそのホルマリン縮合物のスルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシルアミノ酸系活性剤等；カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等；非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、ポリオキシアルキレン変性オルガノポリシロキサン、ポリオキシアルキレン・アルキル共変性オルガノポリシロキサン、アルカノールアミド、糖エーテル、糖アミド等；両性界面活性剤としては、ベタイン、アミノカルボン酸塩、イミダゾリン誘導体等が挙げられる。その他界面活性剤としては、カルボン酸塩、スルホン酸塩、リン酸エステル塩、ベタイン、四級アンモニウム塩、ポリオキシエチレン基などの親水基を有するフッ素系界面活性剤、ポリエーテル変性シリコーン、アミノ変性シリコ
ーン等のシリコーン系界面活性剤、サーファクチン、リポペプチド等のポリペプチド誘導体界面活性剤、サポニン、レシチン等の天然界面活性剤が挙げられる。
本発明が検討した結果、なかでもＨＬＢが１０〜２０の界面活性剤が本発明の目的に合致していることも判明した。
【０００６】
粉体に関しても特に限定はなく、酸化チタン、酸化アルミニウム、酸化亜鉛、酸化ジルコニウム、ベンガラ、黄酸化鉄、黒酸化鉄、群青、紺青、酸化クロム、水酸化クロム、タルク、カオリン、白雲母、絹雲母、炭酸カルシウム、リン酸カルシウム、炭酸マグネシウム、硫酸バリウム、ケイ酸アルミニウム、ケイ酸マグネシウム、ケイ酸カルシウム、クレー、雲母チタン、オキシ塩化ビスマス、シリカ、ナイロン、アクリル樹脂、ポリエチレン、ポリスチレン、アルミパウダー、銅粉、金粉、カーボンブラック、チタンブラック、グラファイト、蓄光顔料、蛍光顔料等がある。採取した指紋の色は、顔料の種類によって規定されるので、色や用途、コスト等を勘案して選定する。そのなかでも雲母チタンが本発明の目的に最も合致した。
粒子径は０．０１〜３０ミクロン程度の粒子が本発明の趣旨に合致する
水性媒体としては最もよく用いられるのは水であるが、このほか、乾燥を迅速に行う等、用途によってはメチルアルコール、エチルアルコール、アセトン等親水性有機溶媒も利用できるが、通常４０％以下で用いるのが普通である。
配合量はそれぞれの種類や目的によって大きく変化するが、界面活性剤は０．０５〜１０％、粉体は１〜４０％が好ましい。
【０００７】
以上の組成の液を指紋採取用液として用いるが、これ以外の物質の配合も本旨に反しないかぎり配合できることは言うまでもない。
この指紋採取用液を利用した指紋採取方法は種々あるが、以下の２つの方法が最も有効である。まず、１つ目は、粉体を直接噴霧しにくい場所から指紋を採取するときや、指紋を資料用に保存しやすいようにシートの上に転写する場合に用いることができる方法で、種々の物質に付着した指紋をゼラチンや粘着性を有するシートで指紋を転写し、このゼラチンやシートを上記の指紋採取用液に浸す。時間は３０秒〜３分程度でよい。これを液より取り出し、乾燥させた後、粉体の色が目立つ色が着色されたシートの上に転写したシートを貼る。これを個人の認識のための作業に供する。
上記の指紋をシートに転写する前に従来のように粉体を塗布したのち、シートに転写して用いることができる。これは保存性の向上のために行われる。
この方法は過去に従来採取された指紋で経時的に不鮮明になり、個人の識別能力が低下しそうな指紋にも適用できる。
【０００８】
もう一つの方法は指紋を付着した場所で、指紋を鮮明にする方法で、指紋採取用液を噴霧器や加圧気体とともにエアゾールとして、吹き付ける方法である。
【発明の効果】
【０００９】
本発明の指紋採取用液はこのような液に求められる最も重要な要素である指紋が明確になり、個人の判別という基本的な目的が他の方法に比較して非常に優れている。また、その場で指紋を鮮明にする方法においては、今まで汎用されていた、アルミ粉末では、均一に塗布するために刷毛等で塗布する必要があるし、粉体が空気中を舞い、人が吸引したりする問題があり、簡便で安全な方法が得られた。また、過去、従来の方法で保存されていた指紋で経時的に不鮮明になったものをこの指紋採取用液で鮮明な状態で保存することができる。
【発明を実施するための最良の形態】
【００１０】
以下に実施例を記載するが本発明をなんら限定するものではない。
【実施例１】
【００１１】
指紋採取用液１
水１００mLにモノオレイン酸ポリオキシエチレンソルビタン（２０Ｅ．Ｏ．）を１ｇ加え、よく攪拌した後、雲母チタン５ｇを加えさらに攪拌した。
【実施例２】
【００１２】
指紋採取用液２
水１００mLにステアリン酸ポリオキシエチレンソルビタン（２０Ｅ．Ｏ．）を１ｇ加え、よく攪拌した後、黒酸化鉄８ｇを加えさらに攪拌した。
【実施例３】
【００１３】
指紋採取用液３
水１００mLにポリオキシエチレン硬化ヒマシ油（４０Ｅ．Ｏ．）を０．５ｇ加え、よく攪拌した後、雲母チタン５ｇを加えさらに攪拌した。
【実施例４】
【００１４】
指紋採取用液４
水１００mLに塩化セチルとリマチルアンモニウムを１ｇ加え、よく攪拌した後、雲母チタン５ｇを加えさらに攪拌した。
【実施例５】
【００１５】
指紋採取方法１
指紋採取転写シート（日東電工社製ＪＰシート黒、無地）に指紋を転写し実施例１の指紋採取用液１に２分間浸漬した。これを取り出し、自然乾燥した後、指紋採取転写シートの下地（黒）にシートを接着させた。
【実施例６】
【００１６】
指紋採取方法２
実施例２の指紋採取用液２を１００ｇとＬＰＧを３０ｇをエアゾール容器に入れ、採取したい指紋付近に噴霧した。
【実施例７】
【００１７】
指紋採取方法３
アルミ粉末とゼラチンシートで採取した指紋をし実施例２の指紋採取用液２に３０分間浸漬した。これを取り出し、自然乾燥した後、指紋採取転写シートの下地（白）にシートを接着させた。
【００１８】
以下に効果を確認するため従来のアルミ粉末で指紋を採取した例を図１に、指紋採取方法１で採取した例を図２に示す。条件は同一とした。
【図面の簡単な説明】
【００１９】
【図１】従来のアルミ粉末で指紋を採取した例
【図２】指紋採取方法１で採取した例
【図１】
2005027986.tif 000003
【図２】
2005027986.tif 000004